(57)【要約】【課題】商品の使用状態が簡単に分かる展示箱としての機能を有すると共に、購入後においても、額縁や災害時用の収納箱としての機能も兼備している。【解決手段】  商品等の小物類を収納する収納容器１と、この収納容器に被せる蓋体２と、写真や絵画等の表示部３０を有して蓋体の上板２１に置かれる表示シート３と、表示部３０に対応する位置に窓部４０を有して蓋体の上板２１に置かれる抜きマット４とからなり、表示シート３が、蓋体２に対して着脱自在に構成されている。【選択図】図１
2005313996.tif 000002
【特許請求の範囲】
【請求項１】
商品等の小物類を収納する収納容器（１）と、この収納容器に被せる蓋体（２）と、写真や絵画等の表示部（３０）を有して前記蓋体の上板（２１）に置かれる表示シート（３）と、前記表示部に対応する位置に窓部（４０）を有して前記蓋体の上板（２１）に置かれる抜きマット（４）とからなり、前記表示シート（３）が、前記蓋体に対して着脱自在に構成されていることを特徴とする多目的箱。
【請求項２】
前記抜きマット（４）が、前記蓋体の上板（２１）に対して着脱自在であることを特徴とする請求項１に記載の多目的箱。
【請求項３】
前記蓋体の上板（２１）が、一辺（２１ｂ）を支軸として回動可能な開閉部（２１ａ）を有するよう分割されており、この開閉部に、前記表示シート（３）が置かれることを特徴とする請求項１又は２に記載の多目的箱。
【請求項４】
前記収納容器（１）に、壁等に懸垂するための掛止部（１５）が設けられていることを特徴とする請求項１〜３のいずれか１項に記載の多目的箱。
【請求項５】
前記収納容器（１）に、災害時用の非難具が収納されていることを特徴とする請求項１〜４のいずれか１項に記載の多目的箱。
【請求項６】
請求項１〜５のいずれか１項に記載の多目的箱が、重箱形に形成されていることを特徴とする多目的箱。
【請求項７】
請求項１〜６のいずれか１項に記載の多目的箱が、紙製であることを特徴とする多目的箱。
【発明の詳細な説明】
【技術分野】
【０００１】
本発明は、様々な機能を備えており種々の目的に使用することができる多目的箱に関するものである。
【背景技術】
【０００２】
一般的にクッキーや下着等の商品は、単に収納箱に収納されて、商品棚等に陳列されて販売されている。又、内部の商品を確認することができるように、窓孔を有する展示箱もあり（例えば、特許文献１、特許文献２及び特許文献３参照）、消費者がこの窓孔を通じて内部の商品を確認できるようになっている。
【０００３】
しかし、例えば下着や玩具などの商品は、折り畳まれたり分解されたりして展示箱等に収納されているので、使用状態が分からず、いちいち商品を取り出して確認しなければならず不便であった。又購入後に、再利用する方法は何も考えられていないので使い捨てであり、実用性にも欠けている。その外、窓孔を有しない収納箱は、使用状態を示す写真等を前面に表わしているが、これも使い捨てであり再利用については考慮されていない。
【特許文献１】実開昭６３−３４０１３号公報
【特許文献２】実開平７−４０４６３号公報
【特許文献３】実開昭６１−１３４９２１号公報
【発明の開示】
【発明が解決しようとする課題】
【０００４】
本発明は内部の商品をいちいち取り出さずに確認することができる展示箱として使用することができると共に、商品の購入後においても、額縁や災害時用の収納箱など多目的に使用することができる実用性に優れた多目的箱を提供するものである。
【課題を解決するための手段】
【０００５】
本物品に係る多目的箱は、商品等の小物類を収納する収納容器と、この収納容器に被せる蓋体と、写真や絵画等の表示部を有して蓋体の上板に置かれる表示シートと、表示部に対応する位置に窓部を有して蓋体の上板に置かれる抜きマットとからなり、表示シートが、蓋体に対して着脱自在に構成されている。
【０００６】
好ましくは、前記抜きマットが、蓋体の上板に対して着脱自在である。
【０００７】
又、前記蓋体の上板が、一辺を支軸として回動可能な開閉部を有するよう分割されており、この開閉部に、表示シートが置かれても良い。
【０００８】
更に好ましくは、前記収納容器に、壁等に懸垂するための掛止部が設けられている。又、前記収納容器に、災害時用の非難具が収納されていることが好ましい。
【０００９】
そして、この多目的箱が重箱形に形成されており、蓋体、表示シート及び抜きマットの組み合わせが、壁等に掛ける額縁をなすことが好ましい。又、この多目的箱が紙製であっても良い。
【発明の効果】
【００１０】
下着や玩具等の商品を収納容器に収納し、表示シートの表示部に下着の着用姿や玩具の使用状態等を写真や絵等を示すことにより、買い物客が商品を箱から取り出すことなく簡単に認識することができる。又、観光地の景色写真等も表示部に表示することもできる。
【００１１】
そして、商品を購入後は、収納容器に写真やフィルム等の小物類を収納し、思い出の写真や家族写真等の表示シートを採用して、多目的箱を、壁に立て掛けたり、吊下げたりすることにより、観賞用の額縁として再利用することができる。
【００１２】
更に収納容器内に災害時に必要なライターや食品等を収納し、表示部にこれらの賞味期限や交換時期などを表示することにより、災害時用の収納ケースとして使用することもできる。
【００１３】
すなわちこの多目的箱を備えた箱によれば、表示シートが着脱自在であるので、使用態様に応じて様々な表示シートを選択、交換することにより多目的に使用することができ、実用性に非常に優れている。
【００１４】
そして、この多目的箱を、厚紙等の紙製にすることにより、生産性に優れると共に、廃棄処分が簡単であり環境性にも優れる。更に、多目的箱を重箱形に形成することにより、箱体が偏平状になり、蓋体、表示シート及び抜きマットの組み合わせを、壁に設けた釘や画鋲等に簡単に引っ掛けることができ額縁として好適に利用することができる。
【発明を実施するための最良の形態】
【００１５】
以下、添付図面に基づいて、本発明に係る多目的箱について詳細に説明する。
【００１６】
先ず、第１実施例の多目的箱について説明する。図１は、第１実施例の多目的箱を分解した状態を示す斜視図である。図２は、多目的箱として組み合わせた状態を示しており、図２のＡは上方斜視図であり、図２のＢは下方斜視図である。図３及び図４は、多目的箱の使用状態を示しており、図３は商品棚に陳列した状態を示す斜視図であり、図４は壁に掛けた状態を示す正面図である。
【００１７】
図１の如く、本発明に係る多目的箱は、クッキーや下着、或いは玩具等の商品を収納する収納容器１を備えている。この収納容器１は、四側板１０、上板１１及び下板１２を備えており、内部に商品を出し入れできるよう構成されている。この収納容器１は、厚紙により形成されている。本例において、この収納容器１は、平面視形状が長方形状であるが、円形状や多角形状等とすることもできる。
【００１８】
更にこの多目的箱は、収納容器１の上部を覆う蓋体２を備えている。この蓋体２は、上板２１及び四側板２０，２０’を備えており、上板２１の外周にわたって上面から突出する突出部２２が設けられている。この蓋体２は、収納容器１をすっぽりと覆いかぶさるよう形成されているので、本例では平面視形状が長方形状であるが、収納容器１が円形状や多角形状であるときは、その形状に適合した円形状等をなしている。また、この蓋体２も、厚紙により形成されている。
【００１９】
そして、この蓋体２の上板２１に、長方形状の表示シート３を置くよう構成されており、この表示シート３の表面に写真や絵画等の表示部３０が設けられている。この表示部３０は、例えば、商品が観光地のお土産であれば観光地の景色写真であったり、下着であれば着用した状態の女性の写真等が表示されている。この表示シート３は、蓋体２の上板２１の表面に置かれた際、突出部２２によって位置ずれしないよう、若干上板２１より若干小さく形成されている。従って、この表示シート３も、蓋体２が円形状等であるときは円形状等に形成される。
【００２０】
更に、この表示シート３の上に、抜きマット４が置かれるよう構成されている。この抜きマット４は、表示シート３と略同一形状をなしており、表示部３０に対応する位置を切り抜いた窓部４０が設けられている。この窓部４０は、透明シート等が貼られていても良い。そして、この抜きマット４を、表示シート３の上に載せた際、抜きマット４は、上板２１の突起部２２によって位置ずれしないよう構成されている。
【００２１】
更に、この抜きマット４の裏面と蓋体２の上板２１の上面に、両面テープやベルベット式ファスナ等の着脱手段５，５’が設けられており、抜きマット４を、蓋体２に対して着脱自在に構成する。これにより、蓋体２の上板２１と抜きマット４とで挟まれた表示シート３は着脱可能となり、別の表示シート３に交換自在にすることができる。又、蓋体２の突出部２２に、抜きマット４を嵌め込んで、係合可能とすることにより、着脱手段５，５’を省略することもできる。
【００２２】
そして、収納容器１内に商品等の小物類を収納し、この収納容器１に蓋体２を嵌め込み、更にこの蓋体２の上板２１に表示シート３を載せ、その上に抜きマット４を、着脱手段５で固定して組み合わすことにより、図２のＡの如く、上面に表示部３０が表示される多目的箱を形成することができる。図３の如く、商品等を陳列棚７０に並べる際には、表示部３０を上にした状態で、この多目的箱を並べることにより、観光地の景色や使用状態等を消費者に示すことができる。
【００２３】
又、図２のＢの如く、収納容器１の下面１２には、２つの掛止孔１５，１５’が設けられている。図４の如く、壁７１に設けられた釘や画鋲等に、この掛止孔１５，１５’を引っ掛けることにより、表示部３０を正面にして多目的箱を懸垂することができるので、商品を購入した後には、写真やフィルム等の小物類を収納容器１に収納して、思い出の観光地や家族写真等を観賞することができる。従って、収納容器１に、掛止紐等を設けて壁７１の釘等に引っ掛けて、多目的箱を壁に展示することもできる。又この多目的箱に脚部を設け、机等に直接立設させて観賞しても良い。
【００２４】
抜きマット４を着脱することにより、様々な表示シート３を選択、交換することができるので、気分や時期、趣味等に合わせて表示部３０を変更することができる。又収納容器１に災害用の非難具を収納し、表示部３０に、これらの賞味期限や交換時期等を表示することにより、災害時用の収納ケースとしても使用することができ、多目的に使用し得るので実用性に非常に優れている。
【００２５】
次に、第２実施例の多目的箱について説明する。図５は、第２実施例の多目的箱を分解した状態を示す斜視図である。図６は、この実施例の、一部を破断した状態の多目的箱を示す側面図である。
【００２６】
第２実施例の多目的箱は、前記で説明した第１実施例の多目的箱と略同様であるので、異なる部分についてのみ、詳細に説明する。
図５の如く、蓋体２の上板２１は、矩形状の開閉部２１ａを有するよう分割されている。この開閉部２１ａは、一辺２ｂを支軸して回動可能に構成されている。この開閉部２１の上面に、表示シート３が置かれる。この状態で、窓部４０に透明シートが設けられた抜きマット４が、蓋体２の上板２１に、のり等の接着剤で固定される。そして、収納容器１に、この蓋体２が被せられる。
【００２７】
図６に基づいて更に詳細に説明すると、蓋体２の上板２１は、開閉部２１ａが分割されており、この開閉部２１ａの一辺２ｂが、粘着テープ等で上板２１と連結されている。従って、蓋体２の上板２１は、一辺２ｂを支軸として、開閉部２ａが回動可能なよう構成されている。
【００２８】
表示シート３を交換する際には、図６の如く、先ず収納容器１と蓋体２とを分離する。そして、開閉部２ａを、２１ｂを中心として、下方（図面時計方向）に回動して開状態とする。この状態で、開閉部２ａの上面に置かれた表示シート３を、別の表示シート３に交換して、開閉部２ａをもとの状態にもどし閉状態とする。そして、蓋体２を収納容器１に被せることにより、開閉部２ａは閉状態のまま維持される。
このように構成することにより、抜きマット４を取り外すことなく、表示シート３を交換することができる。
【００２９】
図７は、重箱形の多目的箱を説明する斜視図である。図７の如く、別の実施例では、この多目的箱は複数段の重箱形をなしている。又、蓋体２を偏平状に形成することにより、蓋体２、表示シート３及び抜きマット４の組み合わせを、壁７１に設けた釘や画鋲等に簡単に引っ掛けることができるので、これらを額縁として好適に使用することもできる。
【図面の簡単な説明】
【００３０】
【図１】第１実施例の多目的箱を分解した状態を示す斜視図である。
【図２】多目的箱を示しており、Ａは上方斜視図であり、Ｂは下方斜視図である。
【図３】多目的箱を備えた箱を商品棚に陳列した状態を示す斜視図である。
【図４】多目的箱等を壁に掛けた状態を示す正面図である。
【図５】第２実施例の多目的箱を分解した状態を示す斜視図である。
【図６】第２例の、一部を破断した状態の多目的箱を示す側面図である。
【図７】重箱形の多目的箱を説明する斜視図である。
【符号の説明】
【００３１】
１  収納容器
２  蓋体
２１  蓋体の上板
２１ａ  開閉部
２１ｂ  支軸
３  表示シート
４  抜きマット
５  抜きマットの着脱手段
１５  掛止孔
３０  表示シートの表示部
４０  抜きマットの窓部
【図１】
2005313996.tif 000003
【図２】
2005313996.tif 000004
【図３】
2005313996.tif 000005
【図４】
2005313996.tif 000006
【図５】
2005313996.tif 000007
【図６】
2005313996.tif 000008
【図７】
2005313996.tif 000009